(57)【要約】【課題】動的表示部を持ったスマートカードの装置と方法の多くの実施形態を提供する。【解決手段】一実施形態では、スマートカードは、電子インクからできた動的表示部を持ち、そこで動的表示部は、スマートカードのアプリケーションの用途に応じて、第１表示から第２表示へ変化する。【選択図】図２Ａ
2006099781.tif 000002
【特許請求の範囲】
【請求項１】
スマートカードにおいて、
スマートカードの表面上に置かれたマイクロプロセッサと、
該マイクロプロセッサの近くに置かれた動的表示部と
を備え、
前記動的表示部は、電子インクから作られ、
前記動的表示部は、スマートカードのアプリケーションの用途に応じて、第１表示から第２表示へ変化することを特徴とするスマートカード。
【請求項２】
スマートカードの表面上に置かれた無線周波数識別タグを、さらに備えることを特徴とする請求項１記載のスマートカード。
【請求項３】
前記動的表示部は、スマートカードの表面の相当な部分を占めることを特徴とする請求項１記載のスマートカード。
【請求項４】
前記第２表示は、スマートカードのアプリケーションの用途に関連したロゴを備えることを特徴とする請求項１記載のスマートカード。
【請求項５】
スマートカード内部に埋め込まれた独自のアプリケーションに対応する複数のアプリケーションデータベースを、さらに備え、前記アプリケーションの各々は、動的表示部上に表示される対応する表示データを持っていることを特徴とする請求項１記載のスマートカード。
【請求項６】
前記電子インクは、充電されて、第１表示から第２表示へ変更されることを特徴とする請求項１記載のスマートカード。
【請求項７】
前記識別タグは、表示データを受信して、動的表示部を第１表示から第２表示へ変えることを特徴とする請求項２記載のスマートカード。
【請求項８】
第１画像を表示する電子インクから作られる動的表示部を持ったスマートカードを提供する段階と、
スマートカードのアプリケーションに基づいて、第１画像から第２画像へ変わるために、動的表示部上に置かれた電子インクを操作する段階と
を備えることを特徴とする方法。
【請求項９】
操作する段階は、スマートカード上に置かれた表示データベースからアプリケーションに関連した表示データを読み出す段階を、さらに備える事を特徴とする請求項８記載の方法。
【請求項１０】
操作する段階は、第２画像に関連する表示データを、動的表示部へ送信する段階を、さらに備える事を特徴とする請求項９記載の方法。
【請求項１１】
操作する段階は、電子インクを充電して、動的表示部上に第２画像を生成する段階を、さらに備える事を特徴とする請求項１０記載の方法。
【請求項１２】
提供する段階は、スマートカード上に多数のアプリケーションを保存する段階を、さらに備える事を特徴とする請求項１１記載の方法。
【請求項１３】
操作する段階は、無線周波数識別タグを通してスマートカードのための電力を引き出す段階を、さらに備える事を特徴とする請求項８記載の方法。
【請求項１４】
操作する段階は、アプリケーションに関連するアプリケーションデータを受信して、動的表示部上に第２画像を生成する段階を、さらに備える事を特徴とする請求項１２記載の方法。
【請求項１５】
アプリケーションを使用するために、動的表示部を持ったスマートカードに給電する段階と、
前記スマートカードに対して表示選択器を有効にする段階と、
アプリケーションに関連した表示データを表示データベースから表示選択器へ読み出す段階と、
表示データに基づいて、動的表示領域を第１表示へ変える段階と
を備えることを特徴とする方法。
【請求項１６】
給電する段階は、スマートカードとスマートカード読み取り器のインターフェイスを取る段階を、さらに備える事を特徴とする請求項１５記載の方法。
【請求項１７】
給電する段階は、無線周波数識別タグを通してアプリケーション環境からエネルギーを引き出す段階を、さらに備える事を特徴とする請求項１５記載の方法。
【請求項１８】
読み出す段階は、電子インク表示制御部に、アプリケーションに関連した第１表示のための表示データを提供する段階を、さらに備える事を特徴とする請求項１５記載の方法。
【請求項１９】
変える段階は、動的表示部上に第１表示を生成するために、電子インクを充電する段階を、さらに備える事を特徴とする請求項１８記載の方法。
【請求項２０】
読み出す段階は、アプリケーションに関連した表示データを、スマートカード上に置かれたアプリケーションデータベースから得る段階を、さらに備える事を特徴とする請求項１５記載の方法。
【請求項２１】
多用途スマートカード上に置かれた無線周波数識別タグに給電する段階と、
多用途スマートカードのために第１アプリケーション環境を識別する段階と、
第１アプリケーション環境に関連した表示データを選択する段階と、
多用途スマートカード上に置かれた動的表示部を、第１アプリケーション環境に関連した表示データで更新する段階と
を備える事を特徴とする方法。
【請求項２２】
給電する段階は、無線周波数識別タグを通して、第１アプリケーション環境からエネルギーを引き出す段階を、さらに備える事を特徴とする請求項２１記載の方法。
【請求項２３】
識別する段階は、スマートカード上に置かれたアプリケーションデータベースを、第１アプリケーション環境にリンクする段階を、さらに備える事を特徴とする請求項２２記載の方法。
【請求項２４】
選択する段階は、スマートカード上に置かれた表示データベースから表示データを読み出す段階を、さらに備える事を特徴とする請求項２１記載の方法。
【請求項２５】
選択する段階は、表示データを表示制御器に送る段階を、さらに備える事を特徴とする請求項２４記載の方法。
【請求項２６】
更新する段階は、動的表示部に、表示データに基づいて表示を生成するように指示する段階を、さらに備える事を特徴とする請求項２５記載の方法。
【請求項２７】
前記動的表示部は、電子インクを備え、
更新する段階は、動的表示部上に表示を生成するために電子インクを充電する段階を、さらに備える事を特徴とする請求項２１記載の方法。
【請求項２８】
選択する段階は、無線周波数識別タグを通して表示データを受信する段階を、さらに備える事を特徴とする請求項２１記載の方法。
【発明の詳細な説明】
【技術分野】
【０００１】
本発明は、広く、現場のスマートカードに関し、より特化して、多用途のスマートカードに関する。
【背景技術】
【０００２】
スマートカードという用語は、磁気ストライプや光やメモリやマイクロプロセッサカードのような特定の分野に情報を関連付ける能力を持ったあらゆるカードについて記すのに使われる。図１は、マイクロプロセッサとメモリを含んだ、典型的なマイクロプロセッサ型のスマートカードを示している。クレジットカードと同じくらいの大きさで、スマートカードには、数千ビットの電子データを処理し保存することができる、小さなマイクロチップが含まれる。単に情報を保存することができるだけの受動的素子（メモリカードあるいは磁気ストライプカードのような）と異なり、スマートカードは能動的であって、与えられた状況に応答してデータを処理することができる。スマートカードは、自身の不揮発性で物理的に保護されたメモリ内で情報を記録し変更する能力によって、強力で実際的なツールとなる。
【発明の開示】
【発明が解決しようとする課題】
【０００３】
スマートカードは、多くの用途のホストをする技術的能力を備えている。従って、１枚のスマートカードは、多くの機能を実行することができる、例えばクレジットカードやテレホンカードや料金の入っているバリューカードや医療カードやロイヤルティカード（royalty card）などである。そのような訳で、消費者は、多くの用途に対して１枚のカードを持っているだけで良い。しかし、スマートカードの問題、特に多用途のスマートカードの問題は、カードに印刷するロゴが永久に残っていて、カードの用途の背後の会社が共有しなくてはならないことである。多用途のスマートカードの特定の外見やロゴに賛成しかねる会社のために、消費者は、特定の各用途に１枚ずつの多くのスマートカードを持ち歩く羽目になる。例え、会社が特定の外見に同意しても、用途が追加されたり除去されても、外見を変えることができないという問題が残る。
【課題を解決するための手段】
【０００４】
動的な表示部を備えたスマートカードの態様を、本明細書で説明する。一態様において、動的な表示部は、電子インクからできており、そこでは、動的な表示部は、スマートカードの用途に応じて、第１の表示から第２の表示へ変化する。
【０００５】
本明細書で説明する態様は、他にも多くあり、これらは広く多用途のスマートカードに関し、使用時には特定の用途に関連して、その外見を変化させる能力を備えていなくてはならない。
【発明を実施するための最良の形態】
【０００６】
本発明の実施形態は、添付の図面の中で、限定するものではなく例示によって説明されている。
【０００７】
以下の説明において、本発明の実施形態を完全に理解するために、特定の物質や部品などの多くの細部が説明される。しかし、当業者にとって、これら特定の細部は本発明の実施形態を実施するのに使用する必要はないことは明らかであろう。他の例において、周知の部品や方法が、本発明の実施形態を不必要に分かりにくくすることがないように細かく説明することはしなかった。
【０００８】
明細書中の“一実施形態”あるいは“ある実施形態”を言及する時は、いつも、その実施形態と共に記載された特定の特徴や構造や特性が、請求される主題の少なくとも１つの実施形態の中に含まれることを意味している。明細書中の様々な場所で“一実施形態において”という句が現れた場合、必ずしもいつも同じ実施形態を言っているとは限らない。
【０００９】
多用途スマートカード用の方法と装置の多くの実施形態を説明する。一実施形態において、スマートカードの目に見える表面には、第１の表示から第２の表示へ、特にスマートカードの特定の用途に関連した表示へと変化する動的表示部が含まれる。一実施形態において、動的表示部には、電子インク（E-ink）技術が含まれる。低消費電力技術によって、我々は、どのアプリケーションが使用中かによってカードの表面上の表示を変えることができる。例えば、支払い端末に挿入する時、カードの表面には、支払いアプリケーションが格納される銀行のロゴがカード上に表示されるだろう。本カードは、例えば電力も供給する無線ＩＣタグ技術を用いて、どの店にユーザーが入っていこうとしているかなどの文脈上の情報をカードに提供する外部信号を受信することもできる。本カードは、その店にとって特約カードにもなる。さらに加わるアプリケーションと関連するロゴは、動的にカードにアップロードされ、同様にして削除したり変更したりすることもできる。
【００１０】
図２Ａ〜図２Ｂには、本発明のスマートカード２００の一実施形態が示される。スマートカード２００の第１面あるいは前面が示される図２Ａには、集積回路（ＩＣ）２０４とその上に置かれる動的表示部２０６が含まれる。ＩＣ２０４には、マイクロプロセッサとメモリが含まれるだろう。ＩＣ２０４のマイクロプロセッサの部分は、メモリ内に格納されるプログラムされた命令を実行し、以下により詳細に説明するように、どんな特定の表示部がスマートカード２００表面上に示されるかを制御する。ＩＣ２０４の一部であろう様々な種類のメモリの中には、読み出し専用メモリ（ＲＯＭ）とランダムアクセスメモリ（ＲＡＭ）、電気的消去及びプログラム可能ＲＯＭ（ＥＥＰＲＯＭ）のようなアプリケーションメモリが含まれる。別の実施形態では、ＩＣ２０４は、コンピュータチップやキャリア基板やプリント基板やプリント基板上に置かれる他のコンピュータ部品を含む、どのような種類の半導体素子でも良いが、これらに限定されるものではない。コンタクトパッドをもう１つＩＣ２０４の表面上に置くことができ、各コンタクトパッドは特定の条件に専用であり、それは電源電圧やクロック信号や接地電位などである。スマートカード２００がＰＯＳ端末などのスマートカード受取機器や読み取り器（図示せず）の中に挿入されると、金属パッドは読み取り器の対応するピンに接触し、スマートカード２００に読み取り器との通信を可能にする。
【００１１】
動的表示部２０６も、スマートカード２００のＩＣ２０４近傍の第１面２０２上に置かれる。一実施形態では、動的表示部２０６の視覚的表示を変え、その後、スマートカード２００の全体の外見を変えるために、動的表示部２０６は、色や画像の変更のインクを備えている。本発明の特別の一実施形態では、動的表示部２０６は、電子インク（ｅ−ｉｎｋ）を用いて埋め込むか印刷することができる。Ｅ−ｉｎｋは、マイクロカプセル内部に浮いている負の電荷を着色されたチップと同様に、インクや似た実体を持つ多くのマイクロカプセルや空洞からできている。負や正の電荷が、希望する文章や画像を作るのにマイクロカプセルに与えられる。特に、電荷がマイクロカプセルに与えられると、特定のチップが、１つの色を出すのにマイクロカプセルの最上部まで上がるか、あるいは、他の色を隠すために最低部まで落ちる。出された色あるいは隠された色は、語句や画像を作るのに使われる。電子インクには、表示のために常置の電源が必要ないという利点があり、電力は表示を変更する必要がある時にのみ必要となる。電子インクは周知のものであり、従って、詳細な説明はここでは行わない。別の実施形態では、熱染色（thermochromatic）インクなどの他種の動的インクを、動的表示部２０６上に印刷することができる。
【００１２】
図２Ａは、第１面２０２の相当な部分を占める動的表示部２０６（例えば、約２５％〜約７５％）を示している。動的表示部２０６は、何を表示するか（例えば、文章、画像、ロゴ）によって、第１面２０２のどの程度の表面域を占めることもできることは理解されよう。例えば、動的表示部は、ＩＣ２０４を別にして、第１面２０２の全面に対応することができる。
【００１３】
一実施形態において、普通のスマートカードと同じ“商用の露出”を提供するために、スマートカード２００の動的表示部２０６は、沢山の業者がそれぞれカードの表面全体を自分たちのロゴ用に使えるような多用途スマートカードをユーザーに提供する。加えて、動的表示部２０６は、カード上に格納されるアプリケーションによって、ロゴ或いは画像の追加や変更や除去を行うことができる。スマートカード２００用の多用途の特徴によって、１つの物理的な外見がスマートカード２００上に格納される各アプリケーションに関係づけられ、その特定の物理的な外見は、スマートカード２００が使用される文章によって自動的に変化することもあり得る。
【００１４】
一実施形態において、外見の変化は、スマートカード２００の第１面２０２にのみ限定されることもある。例えば、もしスマートカード２００が銀行のクレジットカードとして使われたとすると、動的表示部２０６は、クレジットカードを発行する銀行のロゴを表示することができる。本明細書で説明した電子インク表示によれば、表示はカードに結びつく。そのような訳で、外部の人間が、対象のロゴや画像を不正に変更することはできない。従って、動的表示部２０６を、印刷されたものに価値のある銀行手形に似た、スマートカード２００が現在保持する価値を表示するのに使用することができるようになる。
【００１５】
一実施形態において、スマートカード２００は、ある特定の使用時にスマートカードを識別するために、識別タグあるいは識別素子も含んでいる。例えば、スマートカード２００は、スマートカード２００の或る意図した使用時に関する情報を、スマートカード読み取り器（図示せず）と通信するために、無線周波数識別（ＲＦＩＤ）のタグあるいは送信器が共に埋め込まれることが可能である。図２Ｂは、その上にＲＦＩＤタグが置かれた、スマートカード２００の第２面２０３（例えば、背面）を図示している。ＲＦＩＤタグ２０８には、アンテナ２１０に結合される小さなＩＣマイクロチップが含まれる（マイクロチップとアンテナは、共に、ＲＦＩＤ応答器あるいはＲＦＩＤタグとも呼ばれる）。アンテナ２１０によってマイクロチップは、識別情報あるいは他のデータを読み取り器に送信することができる。読み取り器は、ＲＦＩＤタグから反射して戻った電波を、スマートカード２００の認可された使用のために、アプリケーションシステムに送ることのできるディジタル情報へと変換する。ＲＦＩＤタグ２０８は、必ずしもスマートカード２００の第２面２０３上に置かなくてはいけない訳ではないことを理解されたい。別の実施形態では、ＲＦＩＤタグ２０８は、スマートカード２００上の、第１面２０２を含むどこに置くこともできる。
【００１６】
ＲＦＩＤシステムには、マイクロチップやマイクロプロセッサでできたタグと、アンテナと、アンテナを備えた質問機（interrogator）または読み取り器が含まれるだろう。読み取り器は、電磁波を送出する。ＲＦＩＤタグアンテナは、これらの電波を受信するように調整される。受動的なＲＦＩＤタグは、読み取り器によって作られた場から電力を引き出し、それをマイクロチップの回路に電力を与えるのに使用する。その後、チップは、タグが読み取り器に送り返し、読み取り器が新しい電波をディジタルデータに変換する電波を調整する。そのような訳で、一実施形態において、ＲＦＩＤタグ（例えば、ＲＦＩＤタグ２０８）用の読み取り器は、スマートカードと物理的な接触をしてＲＦＩＤタグと通信する必要はない。ＲＦＩＤタグは、当業者には既知のものであり、従って詳細な説明はここでは行わない。そのような訳で、スマートカード２００への電力は、スマートカード読み取り器に挿入された時に与えられる。読み取り器は、電力を供給し、おそらくスマートカード上で何らかの“管理”処理を行う、例えばアプリケーションのロゴの変更とかアプリケーションの変更／追加／削除である。電源が入ると、スマートカードは、どの文脈の中にあるのかを理解し、それに従って表示を変更できる必要がある。もしスマートカード２００が読み取り器に挿入されると、読み取り器は、スマートカード２００の特定のアプリケーション（例えば、読み取り器が公衆電話であるなら、プリペイド電話機能）を起動し、その結果、読み取り器は、文脈をはっきりと与える。
【００１７】
別の実施形態では、スマートカード２００が使われている文脈は推定されるか“当て”られるだろう。例えば、末端のユーザーが盗難防止用のゲートを通って店内に歩いていく時、ＲＦＩＤタグ２０８受信器によって作られた磁場は、スマートカード２００に給電するのに加えて、スマートカード２００に店の名前を送る。例えば、もしスマートカード２００が店の“ロイヤルティカード”に対するアプリケーションを保存していると、カード上に表示するロゴも、末端のユーザーが店内に歩いていくにつれて変更されるだろう。
【００１８】
図３〜図５は、スマートカード２００に対する多用途のシナリオの一実施形態を示している。代表的な目的に対して、図３〜図５は、２つのアプリケーションの文脈におけるスマートカード２００に対して説明されており、１つは小売り店において、他は電話ボックスにおいてである。デフォルトの状態、あるいは無使用の状態において、スマートカード２００の動的表示部２０６は、図３に図示されるように、特定のアプリケーションに関連した一般的な表示部あるいは不特定の種類の表示部を備えているだろう。スマートカード２００のユーザーが、ＲＦＩＤタグ２０８に対する磁気コイルを備えるゲート（盗難防止として殆どの大きな店にあるだろう）を通り抜けて歩いて小売店に入るとき、店を識別するメッセージ或いは店のブランド名と共に、電力がスマートカード２００に送信される。これによって、スマートカード２００の動的表示部２０６上に表示されるロゴが、例えば店のロイヤルティカードへと変化する。一実施形態では、ロイヤルティプログラムに対するアプリケーションが、スマートカード２００上に保存されるだろう。ロゴの表示におけるこの変化は、図４に図示されるような、一般的な表記“ＬＯＧＯ  １”（２１２）によって表される。上述したように、動的表示部２０６は、店に関連するロゴあるいは画像に変化する電子インクで印刷することができる。ユーザーが店を離れる時、店に関連したそのロゴは消え、図３に示すような外見に戻る。その後、ユーザーは、電話ボックス内にある公衆電話にカードを差し出すためにスマートカード２００を使用することになる。スマートカード２００が公衆電話の読み取り器に挿入されると、動的表示部２０６は、再び公衆電話サービス供給会社のロゴに変わるか、電話会社のテレフォンカードの外見を取る。ロゴの外見がこのように変化したことは、図５に図示される“ＬＯＧＯ  ２”（２１４）によって表される。
【００１９】
図６は、多用途スマートカード（例えば、スマートカード２００）の内部アーキテクチャ３００の一実施形態の論理図を示している。図６は、スマートカードシステムの様々な部品を示しているが、何か特定のアーキテクチャや部品の内部接続法を表現しようとしたものではなく、よって細部は本発明に関連していないことに注意したい。スマートカード２００は、命令を受け取ってこれらの命令に対する応答を発することによって、外部インターフェイス３０２（例えば、スマートカード読み取り器）と通信する。一実施形態において、命令は、２つの集合に分けられる。第１の種類の命令は、転送プロトコルデータユニット（ＴＰＤＵ：Transmission Protocol Data Unit）であり、これは読み取り器とスマートカードの間で接続を確立して管理するために使われる転送レベルの命令である。第２の種類の命令は、アプリケーションプロトコルデータユニット（ＡＰＤＵ：Application Protocol Data Unit）であり、これは一旦接続が確立した時のアプリケーションレベルにおいて交換される命令と応答である。スマートカードは、ファイアウォール３０４を通して外部インターフェイス３０２と通信をするが、スマートカード上で実行される１つのソフトウェアは、外部インターフェイス３０２と交換されるデータを保証し、プロトコルの仕様（例えば、安全の目的）に従う。
【００２０】
多用途スマートカードにとって、連鎖の中の次のブロックは、オペレーティングシステム（ＯＳ）３０６であり、これは、別のアプリケーション（例えば、スマートカード上のアプリケーション１（３０８）とアプリケーション２（３１０））の正確な実行に関与している。特に、ＯＳ３０６は、別のアプリケーションを分離する（例えば、スマートカード上に保存されるアプリケーションが互いにデータを、クロストークや読み出したり、または書き込んだり、または変更したり、または消去したりすることに携わらないようにする）ことに関与している。アプリケーションｎ（３１２）で示されるように、たくさんのアプリケーションがアーキテクチャ３００の一部としてあるだろう。
【００２１】
カード上に保存される各アプリケーションは、自身のデータベースにアクセスする。例えば、アプリケーション１（３０８）は、データ１（３１４）に結合され、アプリケーション２（３１０）は、データ２（３１６）に結合され、アプリケーションｎまでがデータｎ（３１８）に結合される。一実施形態において、各データベースの一部は、読み出し専用（例えば、ＲＯＭメモリを用いて実現する）であり、一方、各データベースの他の部分は、読み出し可能なだけでなく書き込み可能であろう。
【００２２】
一実施形態において、１つのアプリケーションのみ（例えば、アプリケーション２（３１０））が一度に有効になるだろう。アプリケーション２（３１０）は、ＯＳ３０６とファイアウォール３０４を通って外部インターフェイス３０２に至る接続によって有効となる。そのような訳で、新しいアプリケーション（例えば、アプリケーション２（３０８）がＯＳ３０６とアプリケーション２（３１０）によって始動される）が最初にダウンする。
【００２３】
図７は、図６に関して上記に説明した、アーキテクチャ３００に関する追加部品を含む、多用途スマートカード（例えば、スマートカード２００）の内部アーキテクチャ４００の他の実施形態の論理図を示している。ファイアウォール４０４とＯＳ４０６と様々なアプリケーション／データベースに加えて、アーキテクチャ４００は、動的表示部（例えば、動的表示部２０６）の更新に関与する、スマートカード上に置かれたハードウェア素子である、“表示選択”アプリケーション４２２と電子インク表示制御器４２０も含んでいる。表示データ４２４は、表示選択アプリケーション４２２に関連するデータベースである。表示選択アプリケーション４２２は、どの画像（例えば、テキスト或いはロゴ）を動的表示部上に表示するかを表したデータを提供することによって、電子インク表示制御器４２０と通信する。
【００２４】
図８は、スマートカードの特定な用途の最中の、表示選択アプリケーションの動作の一実施形態を示している。アーキテクチャ４００の動作を説明する目的から、スマートカードの使用法は、公衆電話に挿入されるテレホンカードとして使用される場合を説明している。公衆電話の読み取り器がスマートカードを検出すると、ＯＳ４０６は、最初に、表示選択アプリケーション４２２を有効にする。ＯＳ４０６は、“アプリケーション２（４１０）が次に有効になるはずだ”ということを示す命令を、表示選択アプリケーション４２２に送る。表示選択アプリケーション４２２は、次に、表示データデータベース４２４から、動的表示部を更新するのに必要な情報を読み出す。この情報は、例えば、ある画像の簡単なビットマップかも知れない。この画像は、テレホンカードを発行した電話会社の企業ロゴを表すかも知れない。表示選択アプリケーション４２２は、この情報を、正しいフォーマットで、電子インク表示制御器４２０へ送る。
【００２５】
電子インク表示制御部４２０が、動的表示部が正しい表示に更新されたことを確認すると、表示選択アプリケーション４２２は、表示が正しく更新されたことを確認する応答をＯＳ４０６へ送り、例えばアプリケーション２（４１０）で示される“テレホンカード”アプリケーションを有効にする。ユーザーがスマートカードをテレホンカードとして使用することを終えると（例えば、スマートカードが読み取り器から抜かれる）、アプリケーション２（４１０）は終了し、ＯＳ４０６は再び表示選択アプリケーション４２２を有効にする。ＯＳ４０６は、“アプリケーション２が終了した”という意味の命令を表示選択アプリケーション４２２へ発する。表示選択アプリケーション４２２は、その後、動的常時部を更新する。例えば、表示された画像は、カード上に保存される考えられる全てのアプリケーションのロゴのモザイクを表す画像かも知れず、あるいはその画像は、“多用途スマートカード”か広告か空白の画像を示すかも知れない。
【００２６】
図９は、ＲＦＩＤ５２６も含むスマートカードアーキテクチャ５００の他の例を示しており、これによるとスマートカードは、スマートカードを物理的に読み取り器に挿入せずに、スマートカード読み取り器から情報を受信することができる。このシナリオは、“オフライン”インターフェイスとも呼ばれる。上述したように、ＲＦＩＤタグは、データと外部供給源からスマートカードに給電するエネルギー源を受信するが、外部供給源との物理的接点やインターフェイスは要しない。一実施形態では、ＲＦＩＤタグ５２６へ供給されるエネルギー量は、動的表示部を変更するためにのみ使用される。スマートカード読み取り器から引き出される電力の量によって、オフライン表示選択器５２８は、直接に電子リンク表示選択器５２０にリンクされて、スマートカードの動的表示部上での正しい表示を決定するだろう。オフライン表示選択器５２８は、表示選択アプリケーション５２２に結合されないので、表示を決定し変更するのに少ない電力しか必要としない。一実施形態では、オフライン表示選択器５２５は、動作にＯＳ５０６を必要としないハードウェア部品であり、ＲＦＩＤタグ５２６によって受信される電力によって給電される。
【００２７】
オフライン表示選択器５２８によって動的表示部を更新する一方法において、例えば、ビットマップとして、或いはオフライン表示選択器５２８によって伸長される圧縮画像として、表示する画像はＲＦＩＤ５２６へ外部から送信される。別の方法では、ＲＦＩＤタグ５２６は、オフライン表示選択器５２８が対応する画像に対して表示データ５２４を参照するのに使用する、環境を記述する識別子文字列（例えば、銀行の名前、あるいはスマートカードが使用される小売店の環境）を受信するだけである。一実施形態では、表示が決定され更新される方法は、図７に関連して上述したものと似ているだろう。
【００２８】
図１０は、スマートカードアーキテクチャ６００の他の実施形態であり、スマートカード上に置かれたアプリケーションがそれら自身の間で通信をするだろう（すなわち、命令と応答が、他のアプリケーションとの間で直接にやり取りされるだろう）。一実施形態では、通信は、特定のアプリケーション（例えば、アプリケーション２（６１０））と表示選択アプリケーション６１８の間に存在するだろう。このやり取りによって、アプリケーション２（６１０）は動的表示部をリアルタイムに更新することができる。例えば、保存値アプリケーション（stored-value application）は、残量を表示するのに電子インク表示を使用することができるだろう。アプリケーション２（６１０）と表示選択アプリケーション６１８の間の通信用に多くの方法があるだろう。一方法では、アプリケーション２（６１０）は、完全な像を表示選択アプリケーション６１８に送り、その後、表示データベース６２０から得た画像のものと似た動的表示部を更新する。他の方法では、アプリケーション２（６１０）は、一行ずつ表示されるテキストを送って完全な画像を生成する。
【００２９】
図１１は、多用途スマートカード上に置かれた動的表示部を更新するための一方法のブロック図である。多用途スマートカード（例えば、上述したスマートカード２００）には、電子インクを埋め込まれるだろう動的表示部が含まれる。一実施形態では、スマートカードは、例えば、テレホンカードや銀行のカードや健康手帳として使用することができるように、多用途のアプリケーションをロードすることができる。加えて、各アプリケーションに関連する画像やロゴや表示を、スマートカード上のデータベース内に保存することができる。特定の応用例（例えば、公衆電話のテレホンカードとしての）に使われる時、スマートカードは、最初にスマートカード読み取り器でインターフェイスを通して給電される＜ブロック７１０＞。このインターフェイスは、表示選択器（例えば、表示選択器４２２）を有効にして、例えば公衆電話で私用するためのスマートカード上に保存されるテレホンカードクレジットなどの正しいアプリケーションデータとスマートカード上にアプリケーションが保存されるデータベースをリンクする或いは結びつける＜ブロック７１５＞。
【００３０】
次に、アプリケーションに関連する表示データが、表示データベースから表示選択器へ送られる＜ブロック７２０＞。一実施形態では、電子インク制御器（例えば、電子インク制御器４２０）が、スマートカード上に置かれて、表示選択器と動的表示部（例えば、２０６）の間のやり取りを制御するだろう。読み出された正しい表示データで、動的表示部は、アプリケーションに関連する画像に変更もしくは更新される＜ブロック７２５＞。一実施形態で、動的表示部は、電荷が電子インクに与えられて、適切な画像が生成されることによって、更新される。使用が終わると（例えば、スマートカードが公衆電話読み取り器から抜かれると）、動的表示部は、再び更新されて、画像を表示しないか、何か特定のアプリケーションに関連しない一般的な画像を表示する。
【００３１】
図１２は、多用途スマートカード上に置かれる動的表示部を更新するための一方法のブロック図である。この実施形態において、スマートカードには、その上に置かれた無線周波数識別タグ（例えば、ＲＦＩＤ２０８）も含まれるだろう。スマートカードは、最初、ＲＦＩＤタグに給電することでの使用が始まる＜ブロック８１０＞。例えば、ＲＦＩＤタグは、スマートカード読み取り器からの電磁波を変換して、スマートカードに給電するだろう。一実施形態では、ＲＦＩＤタグスマートカード間のインターフェイスは、スマートカード読み取り器との物理的接点を必要としない。ＲＦＩＤタグを通して、スマートカードは、使用されるアプリケーション環境を識別するだろう＜８１５＞。例えば、スマートカードは、スマートカード読み取り器からアプリケーションデータを受信することができる。
【００３２】
次に、アプリケーションに関連した表示データは、表示データベースから表示選択器へ送られる。一実施形態において、電子インク制御器（例えば、電子インク制御器５２０）は、スマートカード上に置かれて表示選択器と動的表示部との間のやり取りを制御することもできる。または、表示選択器は、スマートカードから引き出す電力の少ないオフライン部品でも良い。その後、スマートカードは、アプリケーション環境に関連する表示データを選択するだろう＜ブロック８２０＞。読み出された正しい表示データで、動的表示部は、アプリケーション環境に関連する表示データに変更もしくは更新される＜ブロック８２５＞。別の実施形態では、表示選択部は、表示データベースからの代わりに、スマートカード上に保存されるアプリケーションデータベースから直接に表示データを読み出すだろう。
【００３３】
ここまでで、本発明は、その特定の実施形態を参照しつつ説明された。しかし、特許請求の範囲の中に説明した、本発明のより広い趣旨と範囲から逸脱することなく、様々な変更と変化とを作ることができるのは、明らかであろう。従って、明細書と図面とは、限定的な意味よりむしろ説明のためであると考えられたい。
【図面の簡単な説明】
【００３４】
【図１】従来のスマートカードの図である。
【図２Ａ】本発明の一実施形態によるスマートカードの第１面の図である。
【図２Ｂ】図２Ａで図示したスマートカードの第２面の図である。
【図３】スマートカード上に置かれた動的表示部の一実施形態の図である。
【図４】スマートカード上に置かれた動的表示部の他の実施形態の図である。
【図５】スマートカード上に置かれた動的表示部の他の実施形態の図である。
【図６】多用途スマートカードのアーキテクチャの一実施形態の論理図である。
【図７】多用途スマートカードのアーキテクチャの他の実施形態の論理図である。
【図８】多用途スマートカードのアーキテクチャの他の実施形態の論理図である。
【図９】多用途スマートカードのアーキテクチャの他の実施形態の論理図である。
【図１０】多用途スマートカードのアーキテクチャの他の実施形態の論理図である。
【図１１】多用途スマートカード上に置かれた動的表示部を更新するための一方法のブロック図である。
【図１２】多用途スマートカード上に置かれた動的表示部を更新するための他の方法のブロック図である。
【符号の説明】
【００３５】
２００…スマートカード
２０２…第１面
２０３…第２面
２０４…集積回路（ＩＣ）
２０６…動的表示部
２０８…ＲＦＩＤタグ
２１０…アンテナ
３００，４００，５００，６００…スマートカードの内部アーキテクチャ
３０２，５０２，６０２…外部インターフェイス
３０４，４０４，５０４，６０４…ファイアウォール
３０６，４０６，５０６，６０６…オペレーティングシステム（ＯＳ）
３０８，４０８，５０８，６０８…アプリケーション１
３１０，４１０，５１０，６１０…アプリケーション２
３１２，４１２，５１２，６１２…アプリケーションｎ
３１４，４１４，５１４，６１２…データ１
３１６，４１６，５１６，６１４…データ２
３１８，４１８，５１８…データｎ
４２０…電子インク表示制御器
４２２，６１８…表示選択器
４２４，５２４，６２０…表示データ
５２６…ＲＤＩＦタグ
５２８，６１６…オフライン表示選択器
【図１】
2006099781.tif 000003
【図２Ａ】
2006099781.tif 000004
【図２Ｂ】
2006099781.tif 000005
【図３】
2006099781.tif 000006
【図４】
2006099781.tif 000007
【図５】
2006099781.tif 000008
【図６】
2006099781.tif 000009
【図７】
2006099781.tif 000010
【図８】
2006099781.tif 000011
【図９】
2006099781.tif 000012
【図１０】
2006099781.tif 000013
【図１１】
2006099781.tif 000014
【図１２】
2006099781.tif 000015
【外国語明細書】
2006099781.tif 000016
2006099781.tif 000017
2006099781.tif 000018
2006099781.tif 000019
2006099781.tif 000020
2006099781.tif 000021
2006099781.tif 000022
2006099781.tif 000023
2006099781.tif 000024
2006099781.tif 000025
2006099781.tif 000026
2006099781.tif 000027
2006099781.tif 000028
2006099781.tif 000029
2006099781.tif 000030
2006099781.tif 000031
2006099781.tif 000032
2006099781.tif 000033
2006099781.tif 000034
2006099781.tif 000035
2006099781.tif 000036
2006099781.tif 000037
2006099781.tif 000038
2006099781.tif 000039
2006099781.tif 000040
2006099781.tif 000041
2006099781.tif 000042
2006099781.tif 000043
2006099781.tif 000044
2006099781.tif 000045
2006099781.tif 000046
2006099781.tif 000047
2006099781.tif 000048
2006099781.tif 000049
2006099781.tif 000050
2006099781.tif 000051
2006099781.tif 000052
2006099781.tif 000053